(57)【要約】【課題】児童が被害者となる凶悪犯罪を防止すること、女性に対する痴漢などの暴行事件の防止、あるいはひったくり事件の防止にも有効な携帯用の防犯ブザーを提供すること【解決手段】本考案は、上述した課題を解決する手段として、子ども達および女性などに人気のある組み紐ミサンガあるいは腕輪バンドなどに着目したものである。つまり従来の携帯用防犯ブザー装置が、ブザー本体と引き抜きピンなどの構成であるが、引き抜きピンに替えて、組み紐ミサンガあるいは腕輪バンドなどを引っ張ることにより、ブザー音あるいはアラーム音を発するものとした。【選択図】図１
0003124960.tif 000002
【実用新案登録請求の範囲】
【請求項１】
ブザー駆動部と、組みひもミサンガあるいは腕輪などの形状を有し、これを引っ張ることによりブザー音あるいはアラーム音を発する回路開放部により構成されたことを特徴とする携帯用防犯ブザー装置。
【請求項２】
子ども達が愛用し着用を習慣化するため、組みひもミサンガあるいは腕輪などの外観を有することを特徴とする携帯用の防犯ブザー装置であって、組みひもミサンガあるいは腕輪などの部分を引っ張ることによりブザー音あるいはアラーム音を発し、ネジを回転させる作業あるいはダイヤルを合わせる作業などによりブザー音あるいはアラーム音を停止する機能を備えたことを特徴とする携帯用防犯ブザー装置。
【請求項３】
請求項２における携帯用防犯ブザー装置の組みひもミサンガあるいは腕輪などの部分は、別のデザインの組みひもミサンガあるいは腕輪などに、容易に取り替えることができるものとしたことを特徴とする携帯用の防犯ブザー装置。
【考案の詳細な説明】
【技術分野】
【０００１】本考案は、携帯用防犯ブザー装置に関する。
【背景技術】
【０００２】子どもの誘拐殺傷事件、女性への暴行事件、老人からのひったくり事件など凶悪事件が多発しており、これは更に増加の傾向がある。これらの事件の防止対策として各種の携帯用の防犯ブザーが開発され販売されている。
例えば、ピンなどを引き抜くことによりブザーが作動するもの、あるいはボタンを押すことによりブザーが作動するものなどがある。
また形状も、子ども達に人気のあるアニメキャラクターなど、あるいはランドセルにぶら下げるものなどがある。
【考案の開示】
【考案が解決しようとする課題】
【０００３】従来の携帯用の防犯ブザーよりも、更に子ども達が外出時には、常に身に付けるような、愛着を持たれる形状のものとすることが求められている。つまり大人が腕時計を外出時に常に身につけるように、子ども達が、喜んで身に付けて外出する携帯用の防犯ブザーとすることが課題であり、これを解決することにより、特に児童が被害者となる凶悪犯罪を防止するものとする。
また、女性に対する痴漢などの暴行事件の防止、あるいはひったくり事件の防止にも有効な携帯用の防犯ブザーを提供することが解決すべき課題である。
【課題を解決するための手段】
【０００４】本考案は、上述した課題を解決する手段として、子ども達および女性などに人気のある組み紐ミサンガあるいは腕輪バンドなどに着目したものである。
つまり従来の携帯用防犯ブザー装置が、ブザー本体と引き抜きピンなどの構成であるが、引き抜きピンに替えて、組み紐ミサンガあるいは腕輪バンドなどを引っ張ることにより、ブザー音あるいはアラーム音を発するものとした。
また本考案の防犯ブザー装置は、組み紐ミサンガあるいは腕輪などと同様に、手首につけること、スカートの腰部につけること、ランドセルにぶら下げることなどのため、小型軽量化し、外見上は組み紐ミサンガと殆ど変わらないものとした。
幼稚園児、小学生が手首につけることができるように小型軽量化するため、ブザー駆動部は、機構を単純化し、組み紐ミサンガなどの部分を一定の力以上で引っ張ることによりブザー音が鳴り、例えば、ネジ式のキーチェインのようにネジを締め直すという作業によりブザー音が停止するものとした。
これは例えば手首につけた防犯ブザー装置のブザー音を停止させようとする場合、子どもが協力し手首を差し出せば容易にネジを締めブザー音を停止することができるが、子どもが泣き出したり、おびえたりした場合にはブザー音を停止させるには困難で時間がかかるものとなる。つまり、誤ってブザー音が鳴れば容易に停止できるが、犯罪事件あるいは事故の発生の際には、ブザー音を停止させることを困難で時間のかかるものにしたものである。
本考案の携帯用防犯ブザー装置は、その組み紐ミサンガあるいは腕輪などの部分は、容易に取り替えることができ、使用者がデザインなどに飽きることがなく愛着をもって身に付けたり携行したりするものとした。
【考案の効果】
【０００５】本考案による携帯用の防犯ブザー装置は、組みひもミサンガあるいは腕輪などの形状であることから、子ども達が、愛着をもって手首などにつけ、またランドセル、鞄などに付けることが期待でき、また非常時には組みひもミサンガあるいは腕輪の部分を引っ張るだけで容易にブザー音が鳴り響くことから、防犯効果は高く、また犯罪の抑止力も高いものとなる。
また本考案による防犯ブザー装置は、安価に製造することができ、子ども達が、例えば通学時には手首につけ、スカートやズボンの腰の位置につけ、ランドセルの肩ベルトにもぶら下げるという複数個を利用することも期待でき、更に防犯効果を高めることを可能なものとした。
子ども達が、この携帯用の防犯ブザー装置を、「私を守ってくれるミサンガ」などとして愛着を持ち、外出時には常に携行することにより、児童への凶悪犯罪が撲滅されることを願うものである。
また、本考案による携帯用の防犯ブザー装置は、女性に対する痴漢などの暴行事件の防止にも効果を有するものである。
更に、本考案による携帯用の防犯ブザー装置は、ひったくり犯罪にも効果を有し、バッグなどにつけることにより、犯人は防犯ブザーが鳴り響くバッグを持って、逃走することとなるのである。
【考案を実施するための最良の形態】
【０００６】本考案の実施するための最良の形態としては、基本的には、ブザー音あるいはアラーム音を発するブザー駆動部分と、通常ピンなどが使用されている回路開放具に組みひもミサンガあるいは腕輪などに、その役割をもたせるとともに、全体的な形状として、組みひもミサンガあるいは腕輪バンドなどと類似なものとし、使用者に防犯ブザーの携行を習慣化させることに有効なものとするものである。
使用者の年齢層などにより、最良の形態を変化させるものとし、その概略は次の実施例にて例示する。
【実施例】
【０００７】幼稚園児、小学生などを対象とした携帯用の防犯ブザー装置としては、小型軽量であることと、安価な製品とし手首、ランドセル、スカートなど複数個つけることができ、またデザインに飽きれば違うものと付け替えることができるものとする。このため、ブザー駆動部分の容器はプラスチックなど軽量化するとともに、組みひもミサンガあるいは腕輪に内蔵できるもの、例えば組みひもで覆うことにより、ブザー装置自体の使用時の安全性を確保するものとする。
女性に対する痴漢などの暴行事件対策としての防犯ブザー装置としては、女性の装身具として使用することができるものとするため、ブザー駆動部分の容器および腕輪部分を金属とすることによりブレスレットとなるものとし、ブザー音を止めるには、ネジではなくダイアルを合わせることとする。また、防犯ブザー装置の取り外しもダイアルを合わせることとする。但しこの場合であっても、ブレスレットの部分を引っ張ることによりブザー音が発するという基本構造となる。
ひったくり対策としての防犯ブザー装置としては、例えば、オートバイを使った犯罪により被害者が引きずられ死傷することの無いようにするため、一定の引っ張り圧力にてブザー音を発生するものとし、またそれよりも強い引っ張り圧力が加えられた場合には、ブザー音を発しながらも被害者の身体あるいは自転車などとは切り離され、ひったくりされたバッグなどに付属し、犯人はブザー音の鳴り響くバッグを持って逃走するものとする。
【図面の簡単な説明】
【０００８】
【図１】本考案による防犯ブザー装置の携帯時の概略図である。
【図２】本考案による防犯ブザー装置の保管時の概略図である。
【符号の説明】
【０００９】１  ブザー駆動部分
２  組みひもミサンガあるいは腕輪部分
３  ブザー駆動部分
４  組みひもミサンガの取替え時の形状
【図１】
0003124960.tif 000003
【図２】
0003124960.tif 000004
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
ブザー駆動部と、組みひもミサンガあるいは腕輪などの形状の回路開放部を備えることを特徴とする携帯用防犯ブザー装置。
【請求項２】
上記装置の組みひもミサンガあるいは腕輪などの形状の回路開放部を引っ張ることにより回路は開放され、ブザー音あるいはアラーム音を発し、ネジを回転させ閉め戻す作業などにより回路は閉鎖され、ブザー音あるいはアラーム音を停止する手段を備えることを特徴とする請求項１に記載の携帯用防犯ブザー装置。
【請求項３】
組みひもミサンガあるいは腕輪などの着脱および取り替えを可能にした回路開放部により構成されていることを特徴とする請求項１に記載の携帯用防犯ブザー装置。
【手続補正２】
【補正対象書類名】明細書
【補正対象項目名】０００８
【補正方法】変更
【補正の内容】
【０００８】
【図１】本考案による携帯用防犯ブザー装置のブザー駆動部を中心とする概略図である。
【図２】本考案による携帯用防犯ブザー装置の組みひもミサンガ装着時の概略図である。
【手続補正３】
【補正対象書類名】図面
【補正対象項目名】全図
【補正方法】変更
【補正の内容】
【図１】
0003124960.tif 000005
【図２】
0003124960.tif 000006